(57)【特許請求の範囲】
【請求項１】
本体部と、
前記本体部に着脱可能に内蔵されるメカニカルキーとを有するキーレスエントリシステム携帯機において、
前記メカニカルキーにロック用凹部を形成し、
前記本体部に前記メカニカルキーが内蔵される際、前記ロック用凹部に対して、前記メカニカルキーの抜き差し方向と略直交する方向から所定の付勢力を加えるロックプレートを備え、
前記ロック用凹部は、前記抜き差し方向と直交する方向に延在する凹部側第一平面を、前記メカニカルキーの差し込み方向の側に有し、
前記ロックプレートは、前記本体部に前記メカニカルキーが内蔵された際に前記凹部側第一平面と接する、前記抜き差し方向及び前記抜き差し方向に直交する方向に対して傾斜したプレート側斜面と、
前記プレート側斜面に連続して、前記抜き差し方向と直交する方向に延在するように設けられ、前記メカニカルキーを抜く方向に移動させる際に前記凹部側第一平面と接して前記メカニカルキーの脱落を防止するプレート側第一平面と
を少なくとも備えたことを特徴とする、キーレスエントリシステム携帯機。
【請求項２】
前記ロックプレートは、さらに、前記プレート側第一平面と略直角に交わるプレート側第二平面と、このプレート側第二平面に連続するプレート側曲面とを有することを特徴とする請求項１に記載の、キーレスエントリシステム携帯機。
【発明の詳細な説明】
【技術分野】
【０００１】
本発明は、キーレスエントリシステム携帯機に係り、特に、緊急用のメカニカルキーを内蔵するキーレスエントリシステム携帯機に関する。
【背景技術】
【０００２】
キーレスエントリシステムとは、専用の携帯機を所持するだけで、または、当該携帯機のボタン操作を行うだけで、いちいちメカニカルキーを鍵穴に差し込むことなく、ドアの施解錠やエンジン始動を行うことができる便利なシステムであるが、携帯機のバッテリ切れ等の緊急事態に対処するために、いわゆるエマージェンシーキーとも呼ばれるメカニカルキーが携帯機に着脱可能に内蔵されている。
【０００３】
図８は、従来のキーレスエントリシステム携帯機を示す図である（たとえば、下記の特許文献１を参照）。この図において、携帯機１は、手持ちに適した小さな本体部２と、この本体部２に内蔵されるプレート状のメカニカルキー３とを有する。メカニカルキー３は、本体部２に内蔵された状態において、その頭部３ａが、本体部２に形成された開口２ａから露出しており、バッテリ切れ等の緊急の際には、メカニカルキー３の頭部３ａに指をかけて本体部３から引き出せるようになっている。また、装着の際には、本体部２の開口２ａにメカニカルキー３の先端部３ｂを差し込み、そのまま頭部３ａを押し込むことにより、本体部３に装着（内蔵）できるようになっている。
【０００４】
ここで、本体部３に内蔵されたメカニカルキー３は、不意な脱落防止のため、本体部３から簡単に抜け落ちない仕組みになっている必要がある。この仕組みについて、同文献記載の技術では、図示のように、本体部３の内部に配置した板バネ４のほぼ中央付近を折り曲げて三角状突起部（同文献では凸部）４ａを形成し、この三角状突起部４ａと、メカニカルキー３の、頭部３ａの側面３ｃに形成されたＶ字溝（同文献では凹部）３ｄとを係合させている。
【０００５】
このように、従来技術においては、本体部２の開口３ａからメカニカルキー３を差し込むと、両端が本体部２に係止された板バネ４の三角状突起部４ａがメカニカルキー３の頭部３ａの側面３ｃに押されて弾性変形し、その状態でさらにメカニカルキー３を差し込むことにより、板バネ４の三角状突起部４ａとメカニカルキー３のＶ字溝３ｄとが係合して、メカニカルキー３の抜け止め対策が講じられるようになっている。
【０００６】
【特許文献１】特開２００４−６８４１７号公報
【発明の開示】
【発明が解決しようとする課題】
【０００７】
しかしながら、前記の従来技術にあっては、単に板バネ４のバネ力を利用してメカニカルキー３の抜け止め対策を講じているに過ぎないため、（１）板バネ４のバネ力を強くすると、メカニカルキー３の抜け止め対策の点で有利であるが、半面、メカニカルキー３を装着する際に大きな差し込み力が必要になって、使い勝手が悪くなる、（２）一方、その逆に板バネ４のバネ力を弱くすると、装着時の差し込み力が小さくて済むが、メカニカルキー３の抜け止め対策の点で不十分となり、加えて、（３）弱すぎるバネ力は、装着されたメカニカルキー３のガタツキを招き、商品品質を低下するという問題点がある。
【０００８】
そこで本発明は、少なくとも、メカニカルキーのガタツキを防止したキーレスエントリシステム携帯機を提供することを目的としている。
【課題を解決するための手段】
【０００９】
本発明に係るキーレスエントリシステム携帯機は、本体部と、前記本体部に着脱可能に内蔵されるメカニカルキーとを有するキーレスエントリシステム携帯機において、前記メカニカルキーにロック用凹部を形成し、前記本体部に前記メカニカルキーが内蔵される際、前記ロック用凹部に対して、前記メカニカルキーの抜き差し方向と略直交する方向から所定の付勢力を加えるロックプレートを備え、前記ロック用凹部は、前記抜き差し方向と直交する方向に延在する凹部側第一平面を、前記メカニカルキーの差し込み方向の側に有し、前記ロックプレートは、前記本体部に前記メカニカルキーが内蔵された際に前記凹部側第一平面と接する、前記抜き差し方向及び前記抜き差し方向に直交する方向に対して傾斜したプレート側斜面と、前記プレート側斜面に連続して、前記抜き差し方向と直交する方向に延在するように設けられ、前記メカニカルキーを抜く方向に移動させる際に前記凹部側第一平面と接して前記メカニカルキーの脱落を防止するプレート側第一平面とを少なくとも備えたことを特徴とするものである。
【発明の効果】
【００１０】
本発明によれば、本体部に内蔵された前記メカニカルキーに対して、該メカニカルキーの抜き差し方向と略直交する方向に力を加えるので、少なくとも、メカニカルキーのガタツキを防止したキーレスエントリシステム携帯機を提供することができる。
【発明を実施するための最良の形態】
【００１１】
以下、本発明の実施の形態を図面に基づいて説明する。
図１は、実施の形態に係るキーレスエントリシステム携帯機の外観図であり、（ａ）はメカニカルキーを内蔵した状態を示し、（ｂ）はメカニカルキーを抜き出した状態を示している。これらの図において、キーレスエントリシステム携帯機（以下、単に携帯機という。）１０は、分離可能な上ケース１１と下ケース１２（“上下”は図面に正対したときの上下に従う。）とからなる本体部１３と、その本体部１３に形成された開口１４に差し込まれる（装着または内蔵ともいう。）メカニカルキー１５とを備える。
【００１２】
上ケース１１には、小穴１６が形成されており、この小穴１６からロック解除ボタン１７が露出している。このロック解除ボタン１７は、後でも詳しく説明するが、メカニカルキー１５のロックを解除するための操作ボタンである。
【００１３】
図２は、メカニカルキー１５のロック解除状態図である。この図に示すように、指先で図中の矢印イ方向にロック解除ボタン１７をスライドさせることによってメカニカルキー１５のロックを解除し、その状態で、本体部１３から図中の矢印ロ方向にメカニカルキー１５を引き抜くことができるようになっている。
【００１４】
図３は、メカニカルキー１５の外観図である。この図において、メカニカルキー１５は、指先で持ちやすい形状（たとえば、図示の例ではロの字形状）に成形された頭部１８と、この頭部１８に連続するプレート状の鍵部１９とからなり、この鍵部１９の根本部分（頭部１８に近い部分）にロック用凹部２０が形成されている。
【００１５】
図４は、ロック用凹部２０の詳細図である。この図において、ロック用凹部２０は、破線で示すメカニカルキー１５の抜き差し方向線２１と直交する方向に延在する凹部側第一平面２２と、この凹部側第一平面２２に連続して前記の抜き差し方向線２１と並行する凹部側第二平面２３と、この凹部側第二平面２３に所定の角度α（αは９０度を超える角度；つまり鈍角）で交差する凹部側斜面２４とを有する。
【００１６】
図５は、携帯機１０のロック機構２５の外観図である。この図において、ロック機構２５は、メカニカルキー１５の前記ロック用凹部２０を含むと共に、本体部１３に内装されるインナーケース２６に形成された台座２７と、この台座２７に一端を圧接したスプリング２８と、このスプリング２８の付勢力を受けてメカニカルキー１５の抜き差し方向（図中の矢印ハ方向；図４の抜き差し方向線２１参照）と直交する方向（図中の矢印ニ方向）に弾性的に移動するロックプレート２９と、このロックプレート２９の移動を案内する、インナーケース２６に形成された二つの並行壁部３０、３１とを含んで構成されている。
【００１７】
ここで、ロックプレート２９の上面には、前記のロック解除ボタン１７が一体的に形成されており、このロック解除ボタン１７を、スプリング２８の付勢力に抗して動かすことにより、ロックプレート２９とメカニカルキー１５のロック用凹部２０との係合を解除（つまり、ロックを解除）することができるようになっている。
【００１８】
ロックプレート２９の素材には、硬く摩耗しにくいものを使用することが望ましく、たとえば、金属やガラス繊維入りのナイロン系樹脂などを用いることができる。
【００１９】
図６は、ロック機構２５の平面図である。この図において、ロックプレート２９は、前記のとおり、その上面にロック解除ボタン１７を一体形成すると共に、さらに、その先端部の形状を以下のとおり形成している。すなわち、ロックプレート２９は、その先端部に、メカニカルキー１５のロック用凹部２０の凹部側第一平面２２に対向して配置されたプレート側斜面３２及びそのプレート側斜面３２に連続するプレート側第一平面３３と、このプレート側第一平面３３と略直角に交わるプレート側第二平面３４と、このプレート側第二平面３４に連続するプレート側曲面３５とを形成して構成されている。
【００２０】
ここで、ロックプレート２９は、本体部１３にメカニカルキー１５が内蔵される際、メカニカルキー１５のロック用凹部２０に対して、メカニカルキー１５の抜き差し方向（図４の抜き差し方向線２１参照）と略直交する方向から所定の付勢力を加えるための具体的構成要素である。また、このロックプレート２９に形成されたプレート側斜面３２は、前記所定の付勢力をメカニカルキー１５のロック用凹部２０に加える際に、ロック用凹部２０と接するための具体的構成要素である。さらに、このロックプレート２９に形成されたプレート側第一平面３３は、メカニカルキー１５を抜く方向に移動させる際、ロック用凹部２０と接してメカニカルキー１５の脱落を防止するための具体的構成要素である。したがって、前記のロックプレート２９は発明の要旨に記載の「ロック用部材」に相当し、前記のロック用凹部２０は発明の要旨に記載の「凹部」に相当し、プレート側斜面３２は発明の要旨に記載の「第一の面」に相当し、プレート側第一平面３３は発明の要旨に記載の「第二の面」に相当する。
【００２１】
なお、プレート側曲面３５は、平面をごく僅か凸状に湾曲させた所定曲率の曲面であってもよいが、図示のような段階的な疑似曲面、すなわち、角度が若干異なる複数（図では二つ）の平面を連続させて形成した擬似的な曲面であってもよい。
【００２２】
プレート側斜面３２とプレート側第一平面３３の延長線とのなす角度βは、所定の鋭角、たとえば、３５度程度が望ましいが、これに限定されず、その前後、たとえば、３０度〜４５度の範囲内から適宜に選択してもよい。適正な角度βは、ロックプレート２９のストローク量や、メカニカルキー１５の引き抜き荷重及びスプリング２８のバネ力などを勘案して設定すればよい。たとえば、角度βを大き目に設定した場合、ロックプレート２９のストロークを小さくしつつ、後述のガタツキ防止の効果を引き出せるが、半面で、メカニカルキー１５の引き抜き荷重が低下するという不都合を招くので、この場合はスプリング２８のバネ力を強くするなどの対策を講じればよく、一方、角度βを小さ目に設定した場合、後述のガタツキ防止の効果を引き出すには、ロックプレート２９のストロークを大きくする必要があるが、半面、スプリング２８のバネ力を弱くしてもメカニカルキー１５の引き抜き荷重が低下しづらいというメリットがあるので、これらの条件を子細に検討して、適正な角度βを設定すればよい。
【００２３】
なお、プレート側斜面３２は、図示のような“直線形状の面”に限定されない。たとえば、外側に若干膨らんだ凸面鏡のような形状であってもよく、あるいは、内側に若干窪んだ凸面鏡のような形状であってもよい。
【００２４】
ロックプレート２９は、インナーケース２６に形成された二つの並行壁部３０、３１に案内されて、且つ、スプリング２８の付勢力を受けて図面の右方向に移動（ストローク）することが可能となっており、メカニカルキー１５のロック状態においては、そのロックプレート２９の先端部が、メカニカルキー１５のロック用凹部２０に所定の力（スプリング２８の付勢力に相当する力）で圧入され、両者が係合することにより、メカニカルキー１５をロックできるようになっている。
【００２５】
このロック状態において、メカニカルキー１５のロック用凹部２０の凹部側第一平面２２の角部３６は、ロックプレート２９のプレート側斜面３２に当接しているが、前記のとおり、「ロックプレート２９は、インナーケース２６に形成された二つの並行壁部３０、３１に案内されて、且つ、スプリング２８の付勢力を受けて図面の右方向に移動（ストローク）することが可能となっている」のであるから、ロック用凹部２０の凹部側第一平面２２の角部３６と、ロックプレート２９のプレート側斜面３２とは、スプリング２８の付勢力に相当する所定の力で圧接しており、これにより、ロック状態にあるメカニカルキー１５の「ガタツキ」を防止できるようになっている。
【００２６】
また、このロック状態において、メカニカルキー１５に不本意な抜け力が働いたとき、前記のとおり、ロックプレート２９には、スプリング２８の付勢力が働いているので、当該抜け力がスプリング２８の付勢力を上回ったときに、ロックプレート２９が図面の左方向に移動し、最終的に、ロック用凹部２０の凹部側第一平面２２とロックプレート２９のプレート側第一平面３３とが当接して、それ以上、メカニカルキー１５が抜け落ちることがなく、これにより、メカニカルキー１５の確実な抜け止め対策が講じられる。
【００２７】
一方、意図的にメカニカルキー１５を引き出すには、ロック解除ボタン１７を指先等で操作してロックプレート２９を強制的に図面左方向に移動させればよい。ロック用凹部２０の凹部側第一平面２２とロックプレート２９のプレート側第一平面３３との当接が解除され、ほとんど力をかけることなく、簡単にメカニカルキー１５を引き出すことができる。
【００２８】
このように、本実施の形態のキーレスエントリー携帯機１０においては、（ａ）メカニカルキー１５に不本意な抜け力が働いたときには、ロック用凹部２０の凹部側第一平面２２とロックプレート２９のプレート側第一平面３３とが当接して、メカニカルキー１５の抜け止め対策が講じられると共に、（ｂ）意図的にメカニカルキー１５を引き出す際には、ロック解除ボタン１７を指先等で操作してロックプレート２９を強制的に図面左方向に移動させるだけで、簡単にメカニカルキー１５を引き出すことができるという効果が得られる。
【００２９】
加えて、（ｃ）ロックプレート２９の先端部にプレート側曲面３５を形成しているので、メカニカルキー１５を本体部１３に装着する際には、このプレート側曲面３５とメカニカルキー１５との当接によってロックプレート２９を図面左方向に移動させながら、メカニカルキー１５を装着することができ、その際の装着力を、スプリング２８の付勢力を若干上回る程度の小さな力とすることができるという効果が得られる。
【００３０】
したがって、本実施の形態によれば、以上の効果（ａ）〜（ｃ）により、メカニカルキー１５装着時の差し込み力を小さくしつつ、メカニカルキー１５の確実な抜け止め対策を講じたキーレスエントリシステム携帯機１０を提供することができる。
【００３１】
ここで、ロックプレート２９のプレート側斜面３２は、以上の効果（ａ）〜（ｃ）に関与しない。つまり、以上の効果（ａ）〜（ｃ）を得るだけであれば、プレート側斜面３２は不要である。このプレート側斜面３２の存在理由は、メカニカルキー１５の加工誤差や、ロック機構２５を含む本体部１３の加工誤差に伴うガタツキの防止にある。このことを理解するために、便宜的にプレート側斜面３２を有さないロックプレート２９を考えてみる。すなわち、その先端部に、プレート側第一平面３３、プレート側第二平面３４及びプレート側曲面３５のみを形成したロックプレート２９を想定する。このようなロックプレート２９の場合、プレート側第一平面３３を有しているのでメカニカルキー１５の抜け止め対策には不都合を生じず、また、プレート側曲面３５を有しているのでメカニカルキー１５の差し込み（本体部１３への装着）にも支障を生じない。
【００３２】
しかしながら、たとえば、メカニカルキー１５の加工誤差により、メカニカルキー１５のロック用凹部２０が大きめに形成されていた場合は、ロック用凹部２０の凹部側第一平面２２とロックプレート２９のプレート側第一平面３３との間に当該加工誤差に伴う若干の隙間が生じ、この隙間により、装着されたメカニカルキー１５にガタツキが発生してしまう。このようなガタツキは、いわば「安っぽい」質感をユーザに与えるので、是非とも解決しなければならない技術課題である。
【００３３】
ロックプレート２９のプレート側斜面３２は、上記のガタツキを抑えるための要素である。すなわち、メカニカルキー１５の加工誤差や、ロック機構２５を含む本体部１３の加工誤差があったとしても、前記のとおり、「ロックプレート２９は、インナーケース２６に形成された二つの並行壁部３０、３１に案内されて、且つ、スプリング２８の付勢力を受けて図面の右方向に移動（ストローク）することが可能となっている」のであるから、ロックプレート２９のプレート側斜面３２とロック用凹部２０の凹部側第一平面２２の角部３６とが所定の力（スプリング２８の付勢力に相当する力）で圧接し、これにより、ロック状態にあるメカニカルキー１５が本体部１３の内壁面に強く押し付けられる結果、ロック状態にあるメカニカルキー１５の「ガタツキ」を防止でき、前記の技術課題を解決できるのである。
【００３４】
ここで、メカニカルキー１５の加工誤差や、ロック機構を含む本体部１３の加工誤差は一定でなく、所定のバラツキがあるが、かかる加工誤差のバラツキは、ロックプレート（ロック用部材）２９のプレート側斜面３２を“斜面”としたことにより、吸収することができる。たとえば、図６において、メカニカルキー１５のロック用凹部２０が小さめに形成されていた場合は、ロック用凹部２０の凹部側第一平面２２の角部３６がロックプレート２９のプレート側斜面３２に沿って図中右側方向（プレート側第一平面３３の方向）に移動し、一方、メカニカルキー１５のロック用凹部２０が大きめに形成されていた場合は、ロック用凹部２０の凹部側第一平面２２の角部３６がロックプレート２９のプレート側斜面３２に沿って図中左側方向（プレート側第一平面３３と反対方向）に移動するが、いずれの場合においても、ロック用凹部２０の凹部側第一平面２２の角部３６がロックプレート２９のプレート側斜面３２の上に位置している限り、ロックプレート２９の先端部で、ロック状態にあるメカニカルキー１５を本体部１３の内壁面に強く押し付け続けることができ、ロック状態にあるメカニカルキー１５の「ガタツキ」を支障なく防止することができる。
【００３５】
図７は、ロックプレート２９のストロークを示す図であり、（ａ）はキーロック状態を、また、（ｂ）はロック解除状態を示している。なお、この図において、本件発明と直接関係しない具体的構成要素の説明は割愛するが、たとえば、インナーケース２６の下側には、ボタン電池３７や電池収容ケース３８、電子基板３９及び防水シール４０などが実装されている。
【００３６】
（ａ）において、メカニカルキー１５がロック状態にあるときのロック解除ボタン１７の位置を便宜的に破線４１で示すことにする。このとき、スプリング２８は伸張状態にあり、このスプリング２８のバネ力によって、ロックプレート２９が図面左方向に付勢され、ロックプレート２９の先端部がメカニカルキー１５のロック用凹部２０に係止している結果、メカニカルキー１５の抜け止めが図られている。さらに、このロック状態においては、ロックプレート２９の図面左方向への付勢によって、メカニカルキー１５が同方向に押し付けられているので、メカニカルキー１５のガタツキも防止されている。
【００３７】
一方、（ｂ）に示すように、ロック解除ボタン１７を図面右方向にスライドさせると、メカニカルキー１５のロックが解除され、メカニカルキー１５を本体部１３から引き抜くことができるようになる。このときのロック解除ボタン１７の位置を便宜的に破線４２で示すことにする。このとき、スプリング２８は圧縮状態とされ、これにより、ロックプレート２９が図面右方向に移動する。したがって、ロックプレート２９の先端部とメカニカルキー１５のロック用凹部２０との係合が解除され、メカニカルキー１５を本体部１３から引き抜くことができるようになる。
【００３８】
ここで、ロック解除ボタン１７の移動量、つまり、ロックプレート２９のストロークは、破線４１と破線４２の線間距離になる。このストロークは、メカニカルキー１５のロック用凹部２０の大きさによって決まり、一概には言えないが、たとえば、２ｍｍ程度とすることができる。
【００３９】
なお、本実施の形態においては、メカニカルキー１５の「ガタツキ」を防止するために、ロックプレート２９により、メカニカルキー１５を“横方向”（図５の矢印ニ方向）から所定の力で押し付けているが、これに限定されない。要は、メカニカルキー１５の抜き差し方向（図５の矢印ハ方向；図４の抜き差し方向線２１参照）と直交する方向に、ロックプレート２９の押し付け力を作用させればよく、たとえば、メカニカルキー１５の鍵部１９の面厚方向に、その押し付け力を作用させる構造にしてもよい。
【図面の簡単な説明】
【００４０】
【図１】実施の形態に係るキーレスエントリシステム携帯機の外観図である。
【図２】メカニカルキー１５のロック解除状態図である。
【図３】メカニカルキー１５の外観図である。
【図４】ロック用凹部２０の詳細図である。
【図５】携帯機１０のロック機構２５の外観図である。
【図６】ロック機構２５の平面図である。
【図７】ロックプレート２９のストロークを示す図である。
【図８】従来のキーレスエントリシステム携帯機を示す図である。
【符号の説明】
【００４１】
１０  携帯機（キーレスエントリシステム携帯機）
１３  本体部
１５  メカニカルキー
２０  ロック用凹部（凹部）
２９  ロックプレート（ロック用部材）
３２  プレート側斜面（第一の面）
３３  プレート側第一平面（第二の面）
【図１】
0005344672.tif 000002
【図２】
0005344672.tif 000003
【図３】
0005344672.tif 000004
【図４】
0005344672.tif 000005
【図５】
0005344672.tif 000006
【図６】
0005344672.tif 000007
【図７】
0005344672.tif 000008
【図８】
0005344672.tif 000009